(57)【要約】【課題】衛生洗浄装置において、ヒータパターンの経時劣化による所定温度に到達するまでの時間が長くなることを防ぎ、常に使用者に適切な温度で吐水することができる衛生洗浄装置を提供する。【解決手段】通水流路を流れる水を所定温度に加熱しながら人体局部へ向けて吐水する衛生洗浄装置であって、通電によって発熱するヒータパターンが設けられた発熱体と、発熱体が挿入され、供給された水の通水流路が発熱体の周囲に形成されたケース部と、発熱体によって加熱された温水の温度を検知する出湯温度センサと、出湯温度センサによって検知された温度に基づいてヒータパターンに対する通電量を制御する制御部と、を備え制御部は通電開始から一定時間経過するまでの立ち上げ制御時において、出湯温度センサによって検知された温度変化に基づいてヒータパターンの劣化有無を判定し、劣化ありと判定するとヒータパターンへの通電量を増加させるように制御する。【選択図】図１０Ａ
2018053534.tif 000002
【特許請求の範囲】
【請求項１】
通水流路を流れる水を所定温度に加熱しながら人体局部へ吐水する衛生洗浄装置であって、
通電によって発熱するヒータパターンが設けられた発熱体と、
前記発熱体が挿入され、供給された水の通水流路が前記発熱体の周囲に形成されたケース部と、
前記発熱体によって加熱された温水の温度を検知する出湯温度センサと、
前記出湯温度センサによって検知された温度に基づいて前記ヒータパターンに対する通電量を制御する制御部と、を備え
前記制御部は通電開始から一定時間経過するまでの立ち上げ制御時において、
前記出湯温度センサによって検知された温度の経時変化に基づいて前記ヒータパターンの劣化有無を判定し、劣化ありと判定すると前記ヒータパターンへの通電量を増加させるように制御する
ことを特徴とする衛生洗浄装置。
【請求項２】
前記発熱体には、前記ヒータパターンが複数設けられており、
前記制御部が、前記通水流路を流れる水を所定温度に加熱するために、所定の優先順位に基づいて、複数の前記ヒータパターンに対する通電量の分配を決定するものであり、
更に、前記制御部は、複数の前記ヒータパターン毎における、通電量の分配量が最も多い状態で通電された駆動時間を積算して記憶可能であり、通水の開始時において、前記駆動時間の記憶値が均等となるように、前記駆動時間の記憶値が最も短い前記ヒータパターンに対する通電量の分配量が最も多くなるように制御する
請求項１に記載の衛生洗浄装置。
【請求項３】
前記制御部は、前記複数のヒータパターン毎における、通電量を増加させるように制御された通電量増加制御回数を積算して記憶可能であり、
前記通電量増加制御回数が均等になるように、前記通電量増加制御回数の記憶値が最も少ない前記ヒータパターンに対する通電量の分配量が最も多くなるように制御する
請求項２に記載の衛生洗浄装置。
【請求項４】
前記優先順位において、前記駆動時間の記憶値が短いことよりも、前記通電量増加制御回数の記憶値が少ないことを優先して、前記ヒータパターンに対する通電量の分配量を多くする
請求項３に記載の衛生洗浄装置。
【発明の詳細な説明】
【技術分野】
【０００１】
本発明は、一般的に、衛生洗浄装置に関し、具体的には例えば洋式腰掛便器に腰掛けた使用者の「おしり」などを洗浄するための衛生洗浄装置に関する。
【背景技術】
【０００２】
従来から、通水流路を流れる水を所定温度に加熱しながら人体局部へ吐水する衛生洗浄装置がある。例えば、引用文献１に開示された衛生洗浄装置では、１つの発熱体に複数のヒータパターンを１つにまとめて構成し、出湯温度を安定させる構成が開示されている。また、引用文献１では、複数の発熱体に複数のヒータパターンを設け、それぞれのヒータパターンへの通電時間を均等にすることによって、特定のヒータパターンのみ劣化が進むことを抑制し、熱交換器の寿命を延ばすものがある。
【０００３】
しかしながら、上記の構成では発熱体の経時劣化により昇温性能が低下すると、せっかく出湯温度を安定させたり、熱交換器の寿命を延ばしたりしても、使用者に適切な温度で吐水するまでの時間が長くなり満足な性能を得られないという問題がある。
【先行技術文献】
【特許文献】
【０００４】
【特許文献１】特開２０１２−６７４６８号公報
【発明の概要】
【発明が解決しようとする課題】
【０００５】
本発明は、かかる課題の認識に基づいてなされたものであり、ヒータパターンの経時劣化による所定温度に到達するまでの時間が長くなることを防ぎ、常に使用者に適切な温度で吐水することができる衛生洗浄装置を提供することを目的とする。
【課題を解決するための手段】
【０００６】
上記目的を達成するために、本発明に係る衛生洗浄装置においては、通水流路を流れる水を所定温度に加熱しながら人体局部へ向けて吐水する衛生洗浄装置であって、通電によって発熱するヒータパターンが設けられた発熱体と、発熱体が挿入され、供給された水の通水流路が発熱体の周囲に形成されたケース部と、発熱体によって加熱された温水の温度を検知する出湯温度センサと、出湯温度センサによって検知された温度に基づいてヒータパターンに対する通電量を制御する制御部と、を備え、制御部は通電開始から一定時間経過するまでの立ち上げ制御時において、出湯温度センサによって検知された温度の経時変化に基づいてヒータパターンの劣化有無を判定し、劣化ありと判定するとヒータパターンへの通電量を増加させるように制御することを特徴としている。
【０００７】
本発明によれば、立ち上げ制御時に出湯温度センサによって検知された温度の経時変化に基づいてヒータパターンの劣化を制御部が判定する構成であるため、ヒータパターンの劣化を検知するために素子を追加する必要が無く、簡単にヒータパターンの劣化を検知することができる。
そして、ヒータパターンが劣化していると判定すると、ヒータパターンの通電量を増加させるように補正することにより、ヒータパターンが劣化した場合の加熱量低下を抑制することができる。
従って、立ち上げ制御時においてヒータパターンの劣化により加熱開始時から所定温度に到達するまでの時間が長くなってしまうことを防ぐことができ、人体局部に所定温度の温水を吐水する迄の時間が短く使い勝手が良い衛生洗浄装置を提供することが出来る。
【０００８】
また、本発明に係る衛生洗浄装置において、好ましくは、発熱体には、ヒータパターンが複数設けられており、制御部が、通水流路を流れる水を所定温度に加熱するために、所定の優先順位に基づいて、複数のヒータパターンに対する通電量の分配を決定するものであり、更に、制御部は、複数のヒータパターン毎における、通電量の分配量が最も多い状態で通電された駆動時間を積算して記憶可能であり、通水の開始時において、駆動時間の記憶値が均等となるように、駆動時間の記憶値が最も短いヒータパターンに対する通電量の分配量が最も多くなるように制御する。
【０００９】
この構成によれば、ヒータパターンが複数あるとき、ヒータパターン毎に通電量の分配量が最も多い状態(以下メインヒータと称する)での駆動時間を積算して記憶する。ヒータパターン毎のメインヒータでの駆動時間を均等にするように制御することによって、ヒータパターン毎の劣化を均等にさせることができる。つまり、メインヒータとして駆動時間が最も短いつまり最も劣化していないと推定されるヒータをメインヒータとして駆動させることによって、加熱開始時から所定温度に到達するまでの時間が長くなってしまうことを防ぐことができ、人体局部に所定温度の温水を吐水する迄の時間が短く使い勝手が良い衛生洗浄装置を提供することが出来る。
【００１０】
また、本発明に係る衛生洗浄装置において、好ましくは、制御部は、複数のヒータパターン毎における、通電量を増加させるように制御された通電量増加制御回数を積算して記憶可能であり、通電量増加制御回数が均等になるように、通電量制御回数の記憶値が最も少ないヒータパターンに対する通電量の分配量が最も多くなるように制御する。
【００１１】
この構成によれば、ヒータパターンが複数あるとき、複数のヒータパターン毎の劣化を均一にするために、複数のヒータパターン毎に通電量増加制御を行った回数を記憶する。通電量増加制御回数が多いヒータパターンは劣化が進行している若しくは故障している可能性が高いので、通電量増加制御回数が少ないヒータパターンをメインヒータとして駆動させることで、加熱開始時から所定温度に到達するまでの時間が長くなってしまうことを防ぐことができ、人体局部に所定温度の温水を吐水する迄の時間が短く使い勝手が良い衛生洗浄装置を提供することが出来る。
【００１２】
また、本発明に係る衛生洗浄装置において、好ましくは、駆動時間の記憶値が短いことよりも、通電量制御回数の記憶値が少ないことを優先して、ヒータパターンに対する通電量の分配量を多くする。
【００１３】
この構成によれば、メインヒータとして駆動した駆動時間は短いにも関らず、劣化が進んでしまっているヒータパターンをメインヒータとすることが無くなり、複数のヒータパターンをより均等に劣化させることが出来る。従って、より長い期間良い性能を発揮できる衛生洗浄装置を提供することができる。
【発明の効果】
【００１４】
従って、本発明の態様によれば、立ち上げ制御時においてヒータパターンの劣化により加熱開始時から所定温度に到達するまでの時間が長くなってしまうことを防ぐことができ、人体局部に所定温度の温水を吐水する迄の時間が短く使い勝手が良い衛生洗浄装置を提供することが出来る。
【図面の簡単な説明】
【００１５】
【図１】本発明の実施の形態に係る衛生洗浄装置を備えたトイレ装置を表す模式的斜視図。
【図２】本実施の形態に係る衛生洗浄装置の水路系の要部構成の具体例を例示するブロック図。
【図３】本実施の形態に係る熱交換器を例示する模式的断面図
【図４】本実施の形態に係る熱交換器で用いられる発熱体を例示する模式的平面。
【図５】本実施の形態に係るヒータパターンへ通電する為の接続構成を例示する回路構成図。
【図６】本実施の形態に係るヒータパターンの１系統毎の出力に使用される通電パターンの1例を例示する表。
【図７】ヒータパターンへの通電状態の具体例を説明する図。
【図８】ヒータパターンへの通電状態の具体例を説明する図。
【図９】ヒータパターンへの通電状態の具体例を説明する図。
【図１０Ａ】本実施の形態に係る制御部の制御ロジックを示すフローチャート。
【図１０Ｂ】図１０Ａの駆動時間均等制御の制御ロジックを示すフローチャート。
【図１０Ｃ】図１０Ａの通電量増加制御の制御ロジックを示すフローチャート。
【発明を実施するための形態】
【００１６】
以下、本発明の実施の形態について添付図面を参照しながら説明する。なお、各図面中、同様の構成要素には同一の符号を付して詳細な説明は適宜省略する。
【００１７】
図１に表したトイレ装置は、洋式腰掛便器１（以下説明の便宜上、単に「便器」と称する)と、その上に設けられた衛生洗浄装置３と、を備える。衛生洗浄装置３は、ケーシング５と、便座７と、便蓋９と、を有する。便座７及び便蓋９は、ケーシング５に対して開閉自在にそれぞれ軸支されている。
【００１８】
ケーシング５には、使用者が便座７に座ったことを検知する着座検知センサ１５が設けられている。
ケーシング５の内部には、便座７に座った使用者の「おしり」などの洗浄を実現するノズル装置１０などが内蔵されている。ノズル装置１０は、水を吐出する洗浄ノズル１１と、洗浄ノズル１１の先端部に設けられる吐水口１３と、洗浄ノズル１１の伸出の制御を行う制御部２００と、を備える。
なお、本願明細書において「水」という場合には、冷水のみならず、加熱されたお湯も含むものとする。
【００１９】
図２は、本実施形態に係る衛生洗浄装置３の水路系の要部構成の具体例を例示するブロック図である。
【００２０】
図２に表したように、本実施形態に係る衛生洗浄装置３は、水道や貯水タンクなどの給水源(図字しない)から供給された水は、まず分岐金具１９に導かれる。分岐金具１９に導かれた水は、連結ホース(図示しない)及び便器洗浄用のバルブユニット２１に分配される。ただし、本実施形態に係る衛生洗浄装置３を備えた便器１は、いわゆる「水道直圧式」に限定されるわけではなく、いわゆる「ロータンク式」であってもよい。そのため、便器１が「ロータンク式」である場合には、分岐金具１９に導かれた水は、便器洗浄用のバルブユニット２１の代わりにロータンク（図示しない）に導かれる。
【００２１】
続いて、連結ホース(図示しない)に導かれた水はバルブユニット２１に導かれる。バルブユニット２１は、給水弁２３と、入水サーミスタと２５と、を有する。
給水弁２３は開閉可能な電磁バルブであり、ケーシング５の内部に設けられた制御部２００からの指令に基づいて、熱交換器１０１への水の供給を制御する。給水弁２３の下流側には、入水サーミスタ２５が設けられている。入水サーミスタ２５は、熱交換器１０１に導かれる水の温度を検知し、その水温の情報を制御部２００へ出力する。
【００２２】
続いて、バルブユニット２１に供給された水は、熱交換器１０１に導かれる。熱交換器１０１は、発熱体１０３と、温水サーミスタ２７と、を有する。温水サーミスタ２７は熱交換器１０１によって加熱された水の温度を検知し、その水温の情報を制御部２００へ出力する。
【００２３】
続いて、熱交換器１０１によって加熱された水は、ノズル装置１０に導かれる。ノズル装置１０は、洗浄ノズル１１と、洗浄ノズル１１内に設けられたひとつあるいは複数のノズル流路１２と、洗浄ノズル１１の先端に設けられたひとつあるいは複数の吐水口１３と、を有する。
ノズル装置１０に供給された水は、流路切替弁（図示しない）により、例えば「おしり洗浄」や「やわらか洗浄」や「ビデ洗浄」などに対応するそれぞれのノズル流路１２へ通水される。そして、ノズル流路１２へ通水された水は、例えば「おしり洗浄」や「やわらか洗浄」や「ビデ洗浄」などに対応するそれぞれの吐水口１３から水を吐出して、便座７に座った使用者の「おしり」を洗浄する。
【００２４】
図３は、本実施の形態に係る熱交換器１０１を例示する模式的断面図である。
図４は、本実施の形態に係る熱交換器１０１で用いられる発熱体１０３を例示する模式的平面図である。
図５は、本実施の形態に係るヒータパターン１０５へ通電する為の接続構成を例示する回路構成図である。
【００２５】
図３に表したように本実施形態に係る熱交換器１０１は、例えばセラミックヒータなどを用いた瞬間加熱式（瞬間式）の熱交換器１０１であり、筒形状部１０２を有する発熱体１０３と、発熱体１０３を収容するケース部１０７と、を備えている。
【００２６】
また、本実施形態に係る熱交換器１０１は、発熱体１０３により形成される入水口Ａと、ケース部１０７により形成される吐水口Ｂとを有する。
【００２７】
筒形状部１０２の一端１０２ａの側は、ケース部１０７に挿入されている。これにより筒形状部１０２の周囲に、発熱体１０３によって加熱される水の流路１０４ａ、１０４ｂが形成される。また、筒形状部１０２にはフランジ部１０６が符設され設けられている。筒形状部１０２の他端１０２ｂの側は、フランジ部１０６からケース部１０７の外側に延出している。
【００２８】
発熱体１０３は、フランジ部１０６で、ねじ等の締結具によってケース部１０７に固定されている。フランジ部１０６とケース部１０７との間にはＯリングＲ１が設けられ、フランジ部１０６とケース部１０７との密閉性を確保している。
【００２９】
筒形状部１０２には、ひとつあるいは複数のタングステン等からなる帯状のヒータパターン１０５が設けられている。
なお、本実施の形態では、３つのヒータパターン１０５ａ、１０５ｂ及び１０５ｃが設けられた場合を例として説明する。
【００３０】
図４に表したように、発熱体１０３の筒形状部１０２は、内側部分ＰＡと、外側部分ＰＢと、を有する。内側部分ＰＡ及び外側部分ＰＢは、例えばセラミックスなどによって形成されている。また、この内側部分ＰＡと、外側部分ＰＢと、の間には、中間部ＰＣが挟み込まれている。中間部ＰＣには、ヒータパターン１０５が形成されている。中間部ＰＣは、例えば絶縁性のフィルム材と、このフィルム材に設けられた導電性のヒータパターン１０５と、を備える。
【００３１】
図５に表したように、入水サーミスタ２５と、温水サーミスタ２７から出力された水温の情報を基に、制御部２００は３つのヒータパターン１０５ａ、１０５ｂ及び１０５ｃに対して通電を行う。その際、制御部２００が供給電源１０９からもたらされた電圧を、複数のヒータパターン１０５ａ、１０５ｂ及び１０５ｃに対応する複数のスイッチ手段１１１ａ、１１１ｂ、１１１ｃをオン／オフ制御することによって通電制御を行う。
【００３２】
ヒータパターン１０５への通電制御としては、パターン制御などが用いられる。本願明細書において、「パターン制御方式」とは、供給電源１０９の正弦波に対する半波を１単位とし、この半波単位でヒータパターン１０５への通電と、非通電とを制御し、半波単位を複数組み合わせて総電力を制御する方式をいう。パターン制御の詳細については後述する。
【００３３】
次に、複数のヒータパターン１０５ａ、１０５ｂ及び１０５ｃへの通電制御であるパターン制御について説明する。
【００３４】
制御部２００は、熱交換器１０１の複数のヒータパターン１０５ａ、１０５ｂ及び１０５ｃへの通電を制御して、ヒータパターン１０５が発熱することによって熱交換器１０１に供給された水を所定の温度まで加熱する。
複数のヒータパターン１０５ａ、１０５ｂ及び１０５ｃへの通電制御は、入水サーミスタ２５にて検知される熱交換器１０１への入水温度と、温水サーミスタ２７にて検知される加熱された水の温度と、の情報を制御部２００が取り込むことによって、フィードフォワード制御とフィードバック制御の組合せにて行われる。
【００３５】
制御部２００は、ヒータパターン１０５ａ、１０５ｂ及び１０５ｃの一つについて、１セットを複数波（例えば、１６波）に分割して通電のＯＮ／ＯＦＦを制御する。そして、複数セット（例えば、４セット）を制御単位とする。
【００３６】
制御部２００は、複数のヒータパターン１０５ａ、１０５ｂ及び１０５ｃの中で、通電量の分配量が最も多い状態で通電されるヒータパターン１０５(以下説明の便宜上、「メインヒータ」と称する)として駆動した時間を積算して記憶している。
【００３７】
このメインヒータをより具体的に説明すると、例えば図６に示したような複数のヒータパターン１０５への電力の配分テーブルがあった際、制御部２００がヒータパターン１０５に対し、５００ワットの出力を要求したとする。そのとき、制御部２００がヒータパターン１０５ａに対し、４００ワットの出力を要求し、ヒータパターン１０５ｂに対し、１００ワットの出力を要求したとすると、ヒータパターン１０５ａがメインヒータである。
また８００ワットから１２００ワットまでの出力を要求したときのように、各ヒータパターン１０５に同量の出力を要求する必要のある場合であっても、最初に優先的に出力を分配するヒータパターン１０５、図６で示す４００ワット以下の出力を要求されたときに使用するヒータパターン１０５がメインヒータである。
【００３８】
本実施の形態に係る熱交換器１０１では、このような制御部２００による通電制御において、記憶されたメインヒータの駆動時間に基づいて、複数のヒータパターン１０５ａ、１０５ｂ及び１０５ｃが、メインヒータとして駆動する時間を均等にするように制御（以下説明の便宜上、「駆動時間均等制御」と称する）を行う。
【００３９】
駆動時間均等制御を行うことによって、例えば、所望の出力を得る際、メインヒータとしてヒータパターン１０５ａのみを使用すると、他のヒータパターン１０５ｂ及び１０５ｃに比べてヒータパターン１０５ａだけが早く劣化するという事態を抑制することができる。従って、全てのヒータパターン１０５を均等に劣化させることで使用者により長い期間、安定した性能の衛生洗浄装置を提供することが出来る。
【００４０】
制御部２００は、複数のヒータパターン１０５ａ、１０５ｂ及び１０５ｃへの通電を開始してから一定時間経過するまでの立ち上げ制御時、言い換えるとフィードフォワード制御時において、温水サーミスタ２７にて検知される加熱された水の温度と、制御部２００によって決められた所定の温度と、の差が一定以上であるとき、そのときメインヒータとして用いたヒータパターン１０５が劣化していると判断して、そのヒータパターン１０５に対する通電量を増加するように制御（以下説明の便宜上、「通電量増加制御」と称する）を行う。
【００４１】
制御部２００は、複数のヒータパターン１０５ａ、１０５ｂ及び１０５ｃが、通電量増加制御を行われた回数（通電量増加制御回数）を複数のヒータパターン１０５毎に積算して記憶している。
【００４２】
本実施の形態に係る熱交換器１０１では、このような制御部２００による通電制御において、記憶された通電量増加制御を行われた回数に基づいて、メインヒータとして駆動するヒータパターン１０５を決定する制御を行う。
【００４３】
通電量増加制御を行うことによって、例えば、所望の出力を得る際、メインヒータとして使用したヒータパターン１０５ａが劣化し、加熱開始時から所定温度に到達するまでの時間が長くなったとしても、本来ヒータパターン１０５ａに与えるべき通電量よりも大きな通電量を与えるように制御することで、加熱時間が長くなることを防止できる。従って、ヒータパターン１０５ａが経年劣化しても、人体局部に所定温度の水を吐水するまでの時間が長くならず、使用者により長い期間、安定した性能の衛生洗浄装置を提供することが出来る。
【００４４】
図７〜図９は、ヒータパターンへの通電状態の具体例を説明する図である。各図において、（ａ）はヒータパターン１０５ａへの通電状態を例示し、（ｂ）はヒータパターン１０５ｂへの通電状態を例示し、（ｃ）はヒータパターン１０５ｃへの通電状態を例示している。
この制御例では、１制御単位が４セットであり、１セット当たり１６波での通電制御を行っている。また、複数のヒータパターン１０５ａ、１０５ｂ及び１０５ｃのそれぞれの出力は、４００Ｗである。
【００４５】
図７〜図９に示す具体的では、１制御単位で２５Ｗの出力を得る場合の通電状態を示している。ここで、２５Ｗの出力を得るためには、３つのヒータパターン１０５ａ、１０５ｂ及び１０５ｃのうち一つについて、１セット内で４波分の通電を行えばよい。つまり、１つのヒータパターン１０５について、４００Ｗの出力を、１セット内の１６波のうち４波、すなわち４／１６通電する。これにより、１セット当たり４００Ｗの４／１６の１００Ｗの出力を得る。また、他の２つのヒータパターン１０５には、通電を行わない。
さらに、１制御単位の４セットのうち、他の３セットについては、いずれのヒータパターン１０５ａ、１０５ｂ及び１０５ｃにも通電を行わない。つまり、０Ｗである。
したがって、１制御単位では、４セットのうち１セットだけ１００Ｗの出力になることから、１００Ｗの１／４である２５Ｗの出力を得られる。
【００４６】
図７は、１制御単位で、３つのヒータパターン１０５ａ、１０５ｂ及び１０５ｃのうちヒータパターン１０５ａの第１セットｓｅｔ１だけ１００Ｗを得るための、４／１６波分の通電を行っている。一方、他の２つのヒータパターン１０５ｂ及び１０５ｃには、いずれのセットにも通電されていない。
【００４７】
本具体例のように、２５Ｗの出力を続ける場合、特定のヒータパターン１０５ａだけをメインヒータとして通電を行うと、ヒータパターン１０５ａの劣化が、他の２つのヒータパターン１０５ｂ及び１０５ｃよりも進みやすい。
そこで、本実施の形態では、駆動時間均等制御によって、３つのヒータパターン１０５ａ、１０５ｂ及び１０５ｃがメインヒータとして通電を行う時間を均等になるようにしている。
【００４８】
例えば、本具体例において、図７に表したように、１制御単位について、ヒータパターン１０５ａをメインヒータとして第１セットｓｅｔ１のみ、１００Ｗを得るための通電を行い、次の１制御単位では、図８に表したように、ヒータパターン１０５ｂの第１セットｓｅｔ１のみ、１００Ｗを得るための通電を行う。
さらに、次の１制御単位では、図９に表したように、ヒータパターン１０５ｃをメインヒータとして第１セットｓｅｔ１のみ、１００Ｗを得るための通電を行う。
このように、メインヒータとなるヒータパターン１０５を順番に切り替えることで、複数のヒータパターン１０５ａ、１０５ｂ及び１０５ｃがメインヒータとして通電を行う時間が均等になる。
【００４９】
これにより、複数のヒータパターン１０５ａ、１０５ｂ及び１０５ｃが偏って使用されることがなくなり、熱交換器１０１の全体における寿命を延ばすことができる。
なお、メインヒータとなるヒータパターン１０５の切り替えは、１制御単位に限定されない。例えば、着座毎や、通電がゼロになる時毎に、メインヒータとなるヒータパターン１０５を切り替えても良い。すなわち、所定の使用期間において複数のヒータパターン１０５ａ、１０５ｂ及び１０５ｃがメインヒータとして通電を行う時間が均等になるように切り替えればよい。
【００５０】
本具体例のように、２５Ｗの出力を行った際、特定のヒータパターン１０５ａだけをメインヒータとして通電を行い、温水サーミスタ２７にて検知される加熱された水の温度と、制御部２００によって決められた所定の温度と、の差が一定以上であるとき、特定のヒータパターン１０５に対して通電量増加制御を行い、１波単位でゲインを制御する、言い換えると２５Ｗ分の出力を増加する制御を行う。
【００５１】
これにより、複数のヒータパターン１０５ａ、１０５ｂ及び１０５ｃが劣化したとしても、熱交換器１０１が常に安定した性能を発揮することができる。
なお、通電量増加制御におけるゲインの制御は、１波単位に限定されない。例えば２波単位でおこなっても３波単位で行ってもよい。すなわち、所定の時間内においてヒータパターン１０５に与えられた通電量によって、制御部２００に決められた所定の温度まで熱交換器１０１に供給された水を昇温できるように通電量を制御すればよい。
【００５２】
図１０Ａ、図１０Ｂ及び図１０Ｃは、本発明の一実施形態に係る制御部２００の制御ロジックを示すフローチャートである。制御部２００は以下に示す制御ロジックを実行する。
【００５３】
まずステップＳ２において、使用者が衛生洗浄装置３のリモコンなどの操作部による洗浄開始指示を受信したか否かを判定する（Ｓ２）。洗浄開始指示を受信していない場合（Ｓ２、ＮＯ）、洗浄開始指示を受信するまでステップＳ２の処理を繰り返す。
【００５４】
制御部２００は、操作部から洗浄開始指示を受信した場合（Ｓ２、ＹＥＳ）、ステップＳ３に進み、図１０Ｂに示す駆動時間均等制御を開始する。すなわち図１０ＢのステップＳ３１に進み、メインヒータとすべきヒータパターン１０５か否か判定するための対象ヒータパターン１０５を決定する（Ｓ３１）。この制御が行われる度に、最初に判定されるヒータパターン１０５が順番に変更されると効率が良くなる為、メインヒータ対象ヒータパターン１０５を変更してから以下の判定を行う。
【００５５】
続いてステップＳ３２に進み、制御部２００は対象としているヒータパターン１０５のメインヒータとしての駆動時間が、全てのヒータパターン１０５のメインヒータとしての駆動時間の平均と比較して、長いか否かを判定する（Ｓ３２）。
このとき、対象としているヒータパターン１０５のメインヒータとしての駆動時間が全てのヒータパターン１０５のメインヒータとしての駆動時間と比べ、長かった場合（Ｓ３２、ＮＯ）ステップＳ３３に進み、同一若しくは短かった場合（Ｓ３２、ＹＥＳ）ステップＳ３４に進む。
【００５６】
ステップＳ３３に進んだ場合（Ｓ３２、ＮＯ）、制御部２００は対象としているヒータパターン１０５の通電量増加制御回数が、全てのヒータパターン１０５との通電量増加制御回数の最大値と比較して、少ないか否かを判定する（Ｓ３３）。
このとき、対象としているヒータパターン１０５の通電量増加制御回数が少なかった場合（Ｓ３３、ＹＥＳ）ステップＳ３５に進み、同一若しくは長かった場合（Ｓ３３、ＮＯ）ステップＳ３１に戻り、対象とするヒータパターン１０５を変更する。
【００５７】
ステップＳ３４に進んだ場合（Ｓ３２、ＹＥＳ）、制御部２００は対象としているヒータパターン１０５の通電量増加制御回数が、全てのヒータパターン１０５の通電量増加制御回数の最大値と比較して、多いか否かを判定する（Ｓ３４）。
このとき、対象としているヒータパターン１０５の通電量増加制御回数が多かった場合（Ｓ３４、ＮＯ）ステップＳ３１に戻り、対象とするヒータパターン１０５を変更し、同一若しくは短かった場合（Ｓ３４、ＹＥＳ）ステップＳ３５に進む。
【００５８】
ステップＳ３５に進んだヒータパターン１０５はメインヒータとして決定される（Ｓ３５）。図１０Ａに戻りステップＳ４に進む。
【００５９】
ステップＳ４では、ヒータパターンへ通電する前の初期状態における、熱交換器１０１に導かれる水の温度を入水サーミスタ２５が検知し、熱交換器１０１によって加熱される前の水の温度を温水サーミスタ２７が検知する（Ｓ４）。次にステップＳ５に進む。
【００６０】
ステップＳ５では、ステップＳ４において、入水サーミスタ２５と、温水サーミスタ２７と、が検知した水の温度の情報に基づいて、制御部２００がヒータパターン１０５に対して要求する出力ワット数を決める（Ｓ５）。続いて、ステップＳ６に進む。
【００６１】
ステップＳ６では、ステップＳ５で算出された出力ワット数に対応するように、ヒータパターン１０５への通電を開始する（Ｓ６）。具体的に説明すると、図６に示したメインヒータとするヒータパターン１０５毎に対応する電力の配分テーブルに従って、通電を開始する。
【００６２】
ヒータパターン１０５への通電を開始した後、図１０Ｃに進み、通電量増加制御を行う（Ｓ７）。制御部２００は、ステップＳ４における初期状態での温度検知に基づき、決定した出力ワット数に従って通電を行うと同時に上昇温度判定タイマーを開始する（Ｓ７１）。制御部２００は、上昇温度判定タイマーが終了するまで（Ｓ７２、ＮＯ）上昇温度判定タイマーを動かし続ける（Ｓ７２）。所定時間経過し、上昇温度判定タイマーが終了したとき（Ｓ７２、ＹＥＳ）、制御部２００は熱交換器１０１によって加熱された後の水の温度を温水サーミスタ２７が検知する（Ｓ７３）。
【００６３】
続いてステップＳ７４に進み、所定時間に上昇した温度勾配、言い換えると、ステップＳ７３で温水サーミスタが検知した温度と、ステップＳ４で温水サーミスタが検知した温度との差分を所定時間で割った温度勾配が閾値よりも高かった場合（Ｓ７４、ＮＯ）、通電量増加制御を終了し図１０Ａに戻りステップＳ８に進み、温度勾配が閾値よりも同一若しくは低かった場合（Ｓ７４、ＹＥＳ）、ステップＳ７５に進み、メインヒータとして使用しているヒータパターン１０５へ通電量を増加する制御（Ｓ７５）を行う。
【００６４】
ステップＳ７５における、メインヒータとして使用しているヒータパターン１０５へ通電量を増加する制御とは、ゲインを制御し一波単位、言い換えると２５Ｗ分の出力を増加する制御を行うことである。より具体的に説明すると、例えば図６に示したような複数のヒータパターン１０５への電力の配分テーブルがあった際、一つ下の行の電力配分へ動かすような通電制御を行うことである。
【００６５】
ステップＳ７６では、ステップＳ７５における通電量を増加する制御を行った回数を、複数のヒータパターン１０５毎に制御部２００が記憶する（Ｓ７６）。次に図１０Ａに戻りステップＳ８に進む。
【００６６】
続いてステップＳ８では、ヒータパターンへ通電した後の通電状態における、熱交換器１０１に導かれる水の温度を入水サーミスタ２５が検知し、熱交換器１０１によって加熱された後の水の温度を温水サーミスタ２７が検知する（Ｓ８）。続いてステップＳ９に進む。
【００６７】
ステップＳ９では、ステップＳ８において、入水サーミスタ２５と、温水サーミスタ２７と、が検知した水の温度の情報に基づいて、制御部２００がヒータパターン１０５に対して要求する出力ワット数を決める（Ｓ９）。続いて、ステップＳ１０に進む。
【００６８】
ステップＳ１０では、ステップＳ９で算出された出力ワット数に対応するようにヒータパターン１０５への通電を制御する（Ｓ１０）。具体的に説明すると、図６に示したメインヒータとするヒータパターン１０５毎に対応する電力の配分テーブルに従って、通電を制御する。
【００６９】
ステップＳ１１では、使用者が衛生洗浄装置３のリモコンなどの操作部による洗浄終了指示を受信したか否かを判定する（Ｓ１１）。洗浄終了指示を受信していない場合（Ｓ１１、ＮＯ）、洗浄終了指示を受信するまでステップＳ８に戻り、前述した制御を繰り返す。制御部２００が操作部から洗浄終了指示を受信した場合（Ｓ１１、ＹＥＳ）、ステップＳ１２に進み、ヒータパターン１０５への通電を終了する（Ｓ１２）。
【００７０】
ヒータパターン１０５への通電が終了したとき、制御部２００はステップＳ３においてメインヒータとして決定されたヒータパターン１０５の駆動時間を記憶する（Ｓ１３）。
【００７１】
以上のような、制御フローに従って衛生洗浄装置による洗浄動作を制御することによって、常に最も劣化していないヒータパターン１０５をメインヒータとすることができ、且つ、ヒータパターン１０５が劣化したときは通電量を増加することができる。従って、全てのヒータパターン１０５の劣化バラつきを抑えることができ、且つ、ヒータパターン１０５が劣化しても加熱開始時から所定温度に到達するまでの時間が長くなってしまうことを防ぐことが出来る。
【符号の説明】
【００７２】
１  便器
３  衛生洗浄装置
５  ケーシング
７  便座
９  便蓋
１０  ノズル装置
１１  洗浄ノズル
１２  ノズル流路
１３  吐水口
１５  着座検知センサ
１７  ボウル
１９  分岐金具
２１  バルブユニット
２３  給水弁
２５  入水サーミスタ
２７  温水サーミスタ
１０１  熱交換器
１０２  筒形状部
１０３  発熱体
１０４ａ  水の流路
１０４ｂ  水の流路
１０５  ヒータパターン
１０５ａ  ヒータパターンａ
１０５ｂ  ヒータパターンｂ
１０５ｃ  ヒータパターンｃ
１０６  フランジ部
１０７  ケース部
１０９  供給電源
１１１  スイッチ手段
１１１ａ  スイッチ手段ａ
１１１ｂ  スイッチ手段ｂ
１１１ｃ  スイッチ手段ｃ
【図１】
2018053534.tif 000003
【図２】
2018053534.tif 000004
【図３】
2018053534.tif 000005
【図４】
2018053534.tif 000006
【図５】
2018053534.tif 000007
【図６】
2018053534.tif 000008
【図７】
2018053534.tif 000009
【図８】
2018053534.tif 000010
【図９】
2018053534.tif 000011
【図１０Ａ】
2018053534.tif 000012
【図１０Ｂ】
2018053534.tif 000013
【図１０Ｃ】
2018053534.tif 000014